【事件の表示】
　特許第３１５８０５０号「コンクリートカッター」の請求項１、２に係る特許に対する特許異議の申立てについて、次のとおり決定する。
【結　論】
　訂正を認める。
　特許第３１５８０５０号の請求項１に係る特許を維持する。
【理　由】
１．手続の経緯
　本件特許第３１５８０５０号に係る発明は、平成８年５月１７日に特許出願され、平成１３年２月９日にその特許権の設定登録がなされ、その後、株式会社シブヤより特許異議の申立てがなされ、取消しの理由が通知され、その指定期間内である平成１４年５月２０日に訂正請求がなされ、再度取消しの理由が通知され、その指定期間内である平成１４年７月１１日に、平成１４年５月２０日付け訂正請求書の補正がされたものである。
　
２．特許異議の申立ての理由の概要
　異議申立人株式会社シブヤは、証拠として甲第１号証（特開平８−３９５３９号公報）及び甲第２号証（特開昭６２−１９４０７号公報）を提出し、本件発明の特許は、特許法第２９条第２項の規定に違反してなされたものであるから、特許を取り消すべき旨主張している。
　また、請求項１の構成について、明細書に記載不備があり、特許法第３６条第４項の規定に違反して特許されたものであるから、特許を取り消すべき旨主張している。
　
３．訂正の適否についての判断
　平成１４年７月１１日付け手続補正書で補正がされた訂正請求は、願書に添付した明細書を以下、ア〜エのとおり訂正するものである。
(1)訂正の内容
ア．訂正事項ａ
　特許請求の範囲の記載
「【請求項１】モータと、モータにより回転駆動される主軸に直接又は主軸に取着のブレード受けに一定の間隔を存して並設して取り付けられる二枚のホィール状のダイヤモンドブレードと、ブレードを覆うカバーを備えたコンクリートカッターにおいて、上記主軸に形成される軸孔と、主軸又はブレード受けの周面に二カ所、各ダイヤモンドブレードごとに形成され、軸孔と通ずる開口と、軸孔に冷却水を供給するためのウォータスイベルとよりなり、冷却水がウォータスイベルより軸孔に供給され、上記開口を通して二枚のダイヤモンドブレード表面に給水されるようにしたことを特徴とするコンクリートカッター。
　【請求項２】モータと、モータにより回転駆動される主軸に直接又は主軸に取着のブレード受けに一定の間隔を存して並設して取り付けられる二枚のホィール状のダイヤモンドブレードと、ブレードを覆うカバーを備えたコンクリートカッターにおいて、上記主軸に形成される軸孔と、主軸又はブレード受けの周面に軸方向に形成され、軸孔に通ずる長溝と、軸孔に冷却水を供給するためのウォータスイベルとよりなり、冷却水がウォータスイベルより軸孔に供給され、上記長溝を通して二枚のダイヤモンドブレード表面に給水されるようにしたことを特徴とするコンクリートカッター。」
を
「【請求項１】モータと、モータにより回転駆動される主軸に取着のブレード受けに一定の間隔を存して並設して取り付けられる二枚のホイール状のダイヤモンドブレードと、ブレードを覆うカバーを備えたコンクリートカッターにおいて、上記主軸に形成される軸孔と、ブレード受けの周面に軸方向に形成され、軸孔に通ずる長溝と、軸孔に冷却水を供給するためのウオータスイベルとよりなり、冷却水がウオータスイベルより軸孔に供給され、上記長溝を通して二枚のダイヤモンドブレード表面に給水されるようになっており、また上記ブレード受けがフランジと筒部を有して上記主軸に位置決めして嵌挿され、主軸の軸端に捩込まれるボルトによって固定されるようになっており、しかも上記プレード受けの筒部には二枚のダイヤモンドブレードが適当数のスペーサを介在して嵌挿され、該スペーサの抜き差しによってダイヤモンドブレードの間隙を変えられるようにしたことを特徴とするコンクリートカッター。」
と訂正。
イ．訂正事項ｂ
　発明の詳細な説明の段落【０００８】及び【０００９】の記載
「【０００８】
　【課題の解決手段】　
　本発明はそのため、モータと、モータにより回転駆動される主軸に直接又は主軸に取着のブレード受けに一定の間隔を存して並設して取り付けられるホィール状のダイヤモンドブレードと、ブレードを覆うカバーを備えたコンクリートカッターにおいて、上記主軸に形成される軸孔と、主軸又はブレード受けの周面に二カ所、各ダイヤモンドブレードごとに形成され、軸孔と通ずる開口と、軸孔に冷却水を供給するためのウォータスイベルとよりなり、冷却水がウォータスイベルより軸孔に供給され、上記開口を通して二枚のダイヤモンドブレード表面に給水されるようにしたことを特徴とする。
【０００９】
　上記各発明のコンクリートカッターにおいては、主軸を通して給水され、カバー内に散水ないし給水のための配管を要しないし、後者の発明においては更に、ブレードの間隔が広くなっても狭くなっても各ブレードに確実に給水することができる。」
を
「【０００８】
【課題の解決手段】
  本発明はそのため、モータと、モータにより回転駆動される主軸に取着のブレード受けに一定の間隔を存して並設して取り付けられる二枚のホイール状のダイヤモンドブレードと、ブレードを覆うカバーを備えたコンクリートカッターにおいて、上記主軸に形成される軸孔と、ブレード受けの周面に軸方向に形成され、軸孔に通ずる長溝と、軸孔に冷却水を供給するためのウオータスイベルとよりなり、冷却水がウオータスイベルより軸孔に供給され、上記長溝を通して二枚のダイヤモンドブレード表面に給水されるようになっており、また上記ブレード受けがフランジと筒部を有して上記主軸に位置決めして嵌挿され、主軸の軸端に捩込まれるボルトによって固定されるようになっており、しかも上記ブレード受けの筒部には二枚のダイヤモンドブレードが適当数のスペーサを介在して嵌挿され、該スベーサの抜き差しによってダイヤモンドブレードの間隙を変えられるようにしたことを特徴とする。
【０００９】
　本発明のコンクリートカッターにおいては、主軸を通して給水され、カバー内に散水ないし給水のための配管を要しないし、ブレードの間隔が広くなっても狭くなっても各ブレードに確実に給水することができる。」
と訂正。
ウ．訂正事項ｃ
　発明の詳細な説明の段落【００１２】の記載
「【００１２】
　主軸２１にキー２０により位置決めして嵌挿されるブレード受け３１は、フランジ部３１ａとボス部３１ｂと筒部３１ｃとからなり、フランジ部３１ａには図４に示されるように、ボルト３２を通す孔３７と、内側面に環状の凹所３１ｄと、凹所３１ｄより放射状に形成される給水溝３１ｆを有している。ボス部３１ｂは端面に主軸２１の鍔部２１ａが嵌合する凹部３１ｇを有し、鍔部２１ａとの間をシールするためｏリング３３を備えている。筒部３１ｃは外周にフランジ部３１ａより端面近くまでセグメント状に切除し、筒部３１ｃに嵌挿されるダイヤモンドブレード３４及びスペーサ３５との間に断面セグメント状の流路３６を形成する平溝３１ｈと、流路３６と主軸２１の軸孔２２端とを通ずる導出孔３８と、ボルト通し孔３９を備えた隔壁４０を有している。」
を
「【００１２】
　主軸２１にキー２０により位置決めして嵌挿されるブレード受け３１は、フランジ部３１ａとボス部３１ｂと筒部３１ｃとからなり、フランジ部３１ａには図４に示されるように、ボルト３２を通す孔３７と、内側面に環状の凹所３１ｄと、凹所３１ｄより放射状に形成される給水溝３１ｆを有している。ボス部３１ｂは端面に主軸２１の鍔部２１ａが嵌合する凹部３１ｇを有し、鍔部２１ａとの間をシールするためｏリング３３を備えている。筒部３１ｃは外周にフランジ部３１ａより端面近くまでセグメント状に切除し、筒部３１ｃに嵌挿されるダイヤモンドブレード３４及びスペーサ３５との間に断面セグメント状の流路３６を形成する平溝状の長溝３１ｈと、流路３６と主軸２１の軸孔２２端とを通ずる導出孔３８と、ボルト通し孔３９を備えた隔壁４０を有している。」
と訂正。
エ．訂正事項ｄ
　発明の詳細な説明の段落【００１７】の記載
「【００１７】
　請求項２記載のカッターによれば、長溝で二枚のブレード両面への給水が可能となり、二条切りのカッターにおいて、ブレードの間隔を変えても各ブレードへの給水を行うことができる。」
を
「【００１７】
　また、長溝で二枚のブレード両面への給水が可能となり、二条切りのカッターにおいて、ブレードの間隔を変えても各ブレードへの給水を行うことができる。」
と訂正。
(2)訂正の目的の適否
　上記訂正事項ａは、請求項１を削除し、訂正前の請求項２を請求項１とすると同時に、訂正前の択一的な「主軸に直接又は主軸に取着のブレード受けに」をそのうちの一方である「主軸に取着のブレード受けに」のみとし、また、「ブレード受けがフランジと筒部を有して上記主軸に位置決めして嵌挿され、主軸の軸端に捩込まれるボルトによって固定されるようになっており、しかも上記ブレード受けの筒部には二枚のダイヤモンドブレードが適当数のスペーサを介在して嵌挿され、該スペーサの抜き差しによってダイヤモンドブレードの間隙を変えられるようにした」という構成要件を直列的に付加したものであるから、特許請求の範囲の減縮に該当する。
　また、上記訂正事項ｂ〜ｄは、いずれも、上記訂正された特許請求の範囲に整合させるため、発明の詳細な説明の記載を訂正したものであるから、明りょうでない記載の釈明を目的とするものに該当する。
(3)新規事項の有無
　上記訂正事項ａにおける、「ブレード受けがフランジと筒部を有して上記主軸に位置決めして嵌挿され、主軸の軸端に捩込まれるボルトによって固定されるようになっており、しかも上記ブレード受けの筒部には二枚のダイヤモンドブレードが適当数のスペーサを介在して嵌挿され、該スペーサの抜き差しによってダイヤモンドブレードの間隙を変えられるようにした」は、願書に添付した明細書の段落【００１３】に記載されており、新規事項の追加には該当しない。
　また、上記訂正事項ｂ〜ｄも、同様に新規事項の追加には該当しない。
(4)実質的な拡張・変更の存否
　上記訂正事項ａ〜ｄは、特許請求の範囲の減縮及びこれに伴って生じた明りょうでない記載を訂正するものであり、実質的に特許請求の範囲を拡張又は変更するものでもない。
(5)むすび
　したがって、上記訂正は、特許法第１２０条の４第２項ただし書並びに同条第３項で準用する第１２６条第２項及び第３項の規定に適合するので、当該訂正を認める。
　
４．特許異議の申立てについての判断
(1)本件発明
　上記３．で示したように上記訂正が認められるから、本件の請求項１に係る発明（以下、「本件発明」という。）は、上記訂正に係る訂正明細書の特許請求の範囲の請求項１に記載された以下のとおりのものである。
「モータと、モータにより回転駆動される主軸に取着のブレード受けに一定の間隔を存して並設して取り付けられる二枚のホイール状のダイヤモンドブレードと、ブレードを覆うカバーを備えたコンクリートカッターにおいて、上記主軸に形成される軸孔と、ブレード受けの周面に軸方向に形成され、軸孔に通ずる長溝と、軸孔に冷却水を供給するためのウオータスイベルとよりなり、冷却水がウオータスイベルより軸孔に供給され、上記長溝を通して二枚のダイヤモンドブレード表面に給水されるようになっており、また上記ブレード受けがフランジと筒部を有して上記主軸に位置決めして嵌挿され、主軸の軸端に捩込まれるボルトによって固定されるようになっており、しかも上記ブレード受けの筒部には二枚のダイヤモンドブレードが適当数のスペーサを介在して嵌挿され、該スペーサの抜き差しによってダイヤモンドブレードの間隙を変えられるようにしたことを特徴とするコンクリートカッター。」
(2)甲第１号証及び甲第２号証について
　甲第１号証には、回転軸１に一定の間隔を存して並設される５枚のブレード５と、ブレード５を覆うカバーを備えたコンクリートカッターであって、上記回転軸１に形成される導水路２と、回転軸１の周面に複数カ所、各ブレード５ごとに形成されている、導水路２と通ずる放水路３、４と、導水路２に水を供給する給水口１０とよりなる給水構造を備え、冷却水が給水口１０から導水路２に供給され、上記放水路３、４を通じて５枚のブレード表面に供給されるようにし、５枚のブレード間に介在される中間部ブレード押え７を設けたコンクリートカッターが記載されていると認められる。
　甲第２号証には、スピンドル１に保持プレート５によって取付けられるカッターブレード８を備えたコンクリート用切断機において、上記スピンドル１に形成される第１の冷却水供給水路２と、保持プレート５に形成され、第１の冷却水供給水路２と通ずる第２の冷却水供給水路９とを備えており、第１の冷却水供給水路２に供給された冷却水が、第２の冷却水供給水路９を通してカッターブレード８の表面に給水されるコンクリート用切断機が記載されていると認められる。
(3)当審の判断
　本件発明と甲第１号証に記載された発明とを比較すると、両者は、回転駆動される軸に取り付けられた切断用の複数枚のブレードを備えたコンクリートカッターであって、軸に形成された軸孔を用いて冷却水をブレード表面に給水している点で一致し、前者では、「ブレード受けの周面に軸方向に形成され、軸孔に通ずる長溝」及び「ブレード受けの筒部には二枚のダイヤモンドブレードが適当数のスペーサを介在して嵌挿され、該スペーサの抜き差しによってダイヤモンドブレードの間隙を変えられる」という構成を備えているのに対して、後者には、このような構成がない点で、両者は相違する。
　次に、本件発明と甲第２号証に記載の発明とを対比すると、両者は、回転駆動される軸に取り付けられた切断用のブレードを備えたコンクリートカッターであって、軸に形成された軸孔を用いて冷却水をブレード表面に給水している点で一致し、前者では、「ブレード受けの周面に軸方向に形成され、軸孔に通ずる長溝」及び「ブレード受けの筒部には二枚のダイヤモンドブレードが適当数のスペーサを介在して嵌挿され、該スペーサの抜き差しによってダイヤモンドブレードの間隙を変えられる」という構成を備えているのに対して、後者には、このような構成がない点で、両者は相違する。
　そうすると、いずれの証拠に記載された発明においても、本件発明の構成である、「ブレード受けの周面に軸方向に形成され、軸孔に通ずる長溝」及び「ブレード受けの筒部には二枚のダイヤモンドブレードが適当数のスペーサを介在して嵌挿され、該スペーサの抜き差しによってダイヤモンドブレードの間隙を変えられる」という構成を備えていない。
　そして、かかる構成により、本件発明は、「長溝で二枚のブレード両面への給水が可能となり、二条切りのカッターにおいて、ブレードの間隔を変えても各ブレードへの給水を行うことができる。」という明細書に記載の効果を生じるものと認める。
　また、いずれの証拠にも、ブレードの間隔を変えても各ブレードへの給水を行う点に関する記載もしくはそれを示唆する記載はない。
　したがって、本件発明は、甲第１号証に記載された発明及び甲第２号証に記載された発明に基いて、当業者が容易に発明をすることができたものではない。
　さらに、本件特許に係る出願の明細書の記載不備について検討する。
　異議申立人の主張する記載不備は、上記訂正請求による訂正によって請求項１が削除されたことから、解消した。
　したがって、本件特許は、特許法第３６条第４項に規定する要件を満たさない出願に対してなされたものとすることができない。
　
５．むすび
　以上のとおりであるから、異議申立人の主張する理由及び証拠によっては、本件特許を取り消すことはできない。
　また、他に本件特許を取り消すべき理由を発見しない。
　よって、結論のとおり決定する。
【異議決定日】
平成１４年７月２２日（２００２．７．２２）
【訂正の要旨】
訂正の要旨
ア．訂正事項ａ
　特許請求の範囲の減縮を目的として、特許請求の範囲の記載を、
「【請求項１】モータと、モータにより回転駆動される主軸に取着のブレード受けに一定の間隔を存して並設して取り付けられる二枚のホイール状のダイヤモンドブレードと、ブレードを覆うカバーを備えたコンクリートカッターにおいて、上記主軸に形成される軸孔と、ブレード受けの周面に軸方向に形成され、軸孔に通ずる長溝と、軸孔に冷却水を供給するためのウオータスイベルとよりなり、冷却水がウオータスイベルより軸孔に供給され、上記長溝を通して二枚のダイヤモンドブレード表面に給水されるようになっており、また上記ブレード受けがフランジと筒部を有して上記主軸に位置決めして嵌挿され、主軸の軸端に捩込まれるボルトによって固定されるようになっており、しかも上記プレード受けの筒部には二枚のダイヤモンドブレードが適当数のスペーサを介在して嵌挿され、該スペーサの抜き差しによってダイヤモンドブレードの間隙を変えられるようにしたことを特徴とするコンクリートカッター。」
と訂正。
イ．訂正事項ｂ
　明りょうでない記載の釈明を目的として、発明の詳細な説明の段落【０００８】及び【０００９】の記載を、
「【０００８】
　【課題の解決手段】
　本発明はそのため、モータと、モータにより回転駆動される主軸に取着のブレード受けに一定の間隔を存して並設して取り付けられる二枚のホイール状のダイヤモンドブレードと、ブレードを覆うカバーを備えたコンクリートカッターにおいて、上記主軸に形成される軸孔と、ブレード受けの周面に軸方向に形成され、軸孔に通ずる長溝と、軸孔に冷却水を供給するためのウオータスイベルとよりなり、冷却水がウオータスイベルより軸孔に供給され、上記長溝を通して二枚のダイヤモンドブレード表面に給水されるようになっており、また上記ブレード受けがフランジと筒部を有して上記主軸に位置決めして嵌挿され、主軸の軸端に捩込まれるボルトによって固定されるようになっており、しかも上記ブレード受けの筒部には二枚のダイヤモンドブレードが適当数のスペーサを介在して嵌挿され、該スペーサの抜き差しによってダイヤモンドブレードの間隙を変えられるようにしたことを特徴とする。
　【０００９】
　本発明のコンクリートカッターにおいては、主軸を通して給水され、カバー内に散水ないし給水のための配管を要しないし、ブレードの間隔が広くなっても狭くなっても各ブレードに確実に給水することができる。」
と訂正。
ウ．訂正事項ｃ
　明りょうでない記載の釈明を目的として、発明の詳細な説明の段落【００１２】の記載を、
「【００１２】
　主軸２１にキー２０により位置決めして嵌挿されるブレード受け３１は、フランジ部３１ａとボス部３１ｂと筒部３１ｃとからなり、フランジ部３１ａには図４に示されるように、ボルト３２を通す孔３７と、内側面に環状の凹所３１ｄと、凹所３１ｄより放射状に形成される給水溝３１ｆを有している。ボス部３１ｂは端面に主軸２１の鍔部２１ａが嵌合する凹部３１ｇを有し、鍔部２１ａとの間をシールするためｏリング３３を備えている。筒部３１ｃは外周にフランジ部３１ａより端面近くまでセグメント状に切除し、筒部３１ｃに嵌挿されるダイヤモンドブレード３４及びスペーサ３５との間に断面セグメント状の流路３６を形成する平溝状の長溝３１ｈと、流路３６と主軸２１の軸孔２２端とを通ずる導出孔３８と、ボルト通し孔３９を備えた隔壁４０を有している。」
と訂正。
エ．訂正事項ｄ
　明りょうでない記載の釈明を目的として、発明の詳細な説明の段落【００１７】の記載を、
「【００１７】
　また、長溝で二枚のブレード両面への給水が可能となり、二条切りのカッターにおいて、ブレードの間隔を変えても各ブレードへの給水を行うことができる。」
と訂正。
（５４）【発明の名称】
コンクリートカッター
（５７）【特許請求の範囲】
　【請求項１】モータと、モータにより回転駆動される主軸に取着のブレード受けに一定の間隔を存して並設して取り付けられる二枚のホィール状のダイヤモンドブレードと、ブレードを覆うカバーを備えたコンクリートカッターにおいて、上記主軸に形成される軸孔と、ブレード受けの周面に軸方向に形成され、軸孔に通ずる長溝と、軸孔に冷却水を供給するためのウォータスイベルとよりなり、冷却水がウォータスイベルより軸孔に供給され、上記長溝を通して二枚のダイヤモンドブレード表面に給水されるように
なっており、また上記ブレード受けがフランジと筒部を有して上記主軸に位置決めして嵌挿され、主軸の軸端に捩込まれるボルトによって固定されるようになっており、しかも上記ブレード受けの筒部には二枚のダイヤモンドブレードが適当数のスペーサを介在して嵌挿され、該スペーサの抜き差しによってダイヤモンドブレードの間隙を変えられるように
【発明の詳細な説明】
　【０００１】
　【発明が属する技術分野】
　本発明は、コンクリート構造物の壁、床、天井等（以下、壁等という）に溝や孔（以下、スリットという）を開けるのに使用されるコンクリートカッターに関する。
　【０００２】
　【従来技術】
　コンクリート構造物の壁等を耐震構造に改良するために壁等に、ゴム等の充填材を埋め込んで揺れを吸収しようとする場合、或いは壁等に電線や電話線などのケーブルを埋め込んだり、ガス管や給湯管等の配管を埋め込む場合には一般に、壁等にコンクリートカッターでスリットを入れてからゴム等の充填材、ケーブル、配管等を埋め込んでいる。
　【０００３】
　コンクリートカッターは、モータと、モータより減速機を介して回転駆動されるホィール状のダイヤモンドブレードとよりなり、ダイヤモンドブレードは一枚のものが多いが、二枚のダイヤモンドブレードを一定の間隔を存して並設し、二条切りが行えるようにしたものもある。図１は、後者の例を示すもので、ガイドレール１と、ガイドレール１に移動可能に装着される支持枠２と、ガイドレール１に添設されるラック及び支持枠２に取着されてラックと噛合し、モータによって回転駆動されるピニオンとよりなる支持枠２の走行機構（図示省略）と、支持枠２に昇降可能に支持され、ハンドル３の回転操作によって昇降する台４と、台４に取着される減速機付きモータ５と、モータ５によって回転駆動される二枚のブレード６と、両ブレード６の間隔を調整可能なスペーサ７と、支持枠２に支持されてブレード６を覆い、ブレード下端部を突出させたブレードカバー８とよりなっている。
　【０００４】
　壁等にスリットを入れるためには、二条の切込みを入れる必要があり、図１に示すように二枚のダイヤモンドブレードを備えたコンクリートカッターでは、一度の工程で、一定巾のスリットを入れることができる。いづれにしても壁等の切断時にはダイヤモンドブレードの冷却と潤滑のためダイヤモンドブレードに冷却水を掛ける必要がある。
　【０００５】
　ダイヤモンドブレードに冷却水を掛ける方法としては従来、ダイヤモンドブレードの両側に多数の散水孔を備えたパイプを配設し、パイプよりダイヤモンドプレードに散水する方法、図２に示すようにモータによって回転駆動される主軸１１に取着され、ダイヤモンドブレード１２を両側より挟着するフランジ１３に環状の水溜め１４と、水溜め１４よりブレード１２に向かって伸びる案内溝１５を形成する一方、水溜め１４に放水口を向けた給水パイプ１６を設け、給水パイプ１６より冷却水を水溜め１４に送り、案内溝１５を通してブレード１４表面に給水する方法などがある。
　【０００６】
　【発明が解決しようとする課題】
　上述する従来の方法はいづれも、ブレードカバー内に散水パイプや給水パイプを配管する必要があり、ブレードカバー内の構造が複雑であるほか、散水パイプや給水パイプを配管するためのスペースが必要で、ブレードカバーが嵩張るようになる。
　【０００７】
　本発明は、ブレードカバー内に冷却水供給のための配管を必要としないコンクリートカッターを提供することを目的とする。
　【０００８】
　【課題の解決手段】
　本発明はそのため、モータと、モータにより回転駆動される主軸に取着のブレード受けに一定の間隔を存して並設して取り付けられる二枚のホィール状のダイヤモンドブレードと、ブレードを覆うカバーを備えたコンクリートカッターにおいて、上記主軸に形成される軸孔と、ブレード受けの周面に軸方向に形成され、軸孔に通ずる
長溝
長溝
なっており、また上記ブレード受けがフランジと筒部を有して上記主軸に位置決めして嵌挿され、主軸の軸端に捩込まれるボルトによって固定されるようになっており、しかも上記ブレード受けの筒部には二枚のダイヤモンドブレードが適当数のスペーサを介在して嵌挿され、該スペーサの抜き差しによってダイヤモンドブレードの間隙を変えられるように
　【０００９】
　
本
　【００１０】
　また図１に示すタイプのコンクリートカッターにおいて、従来法のように両ダイヤモンドブレードの両側に散水パイプを設けたり、図２に示す給水パイプを設けてダイヤモンドブレードに散水或いは給水を行おうとする場合、ブレード間にはスペース上、散水や給水パイプを設けることができないため、各ダイヤモンドブレードの外側の片面しか散水或いは給水できないのに対し、上記発明では、各ダイヤモンドブレードの両側に給水することができ、またスリット巾を変えるため、スペーサを継ぎ足したり、取り外す際、散水パイプや給水パイプがあると、作業の邪魔となる。散水パイプや給水パイプをブレードカバーに取付けた場合には、ブレードカバーを取り外すことにより散水パイプや給水パイプも外され、これがスペーサ取付けや取外し作業の邪魔となることはないが、ハンドル操作によってダイヤモンドブレードを昇降させ、コンクリート構造物の壁等への切込み量を変える際、散水或いは給水を行うためにダイヤモンドブレードの上下位置に応じて散水パイプや給水パイプの取付け位置も変える必要が生ずるようになるのに対し、上記発明ではこうした問題がない。
　【００１１】
　【発明の実施の形態】
　図３は、図１に示すコンクリートカッターの給水機構を示すもので、モータによって回転駆動される主軸２１には先端部に軸孔２２が形成されると共に、軸孔先端にネジ部とキー状の案内溝２３とが形成され、ウォータースイベル２５により冷却水が軸孔２２に供給されるようにしてある。ウォータースイベル２５は、軸受２６内に配置され、軸方向に一定の間隔を存して主軸２１を支承する環状のオイルシール２７と、軸受２６に径方向に形成され、オイルシール間に形成される環状溝３２に通ずる注水孔２８と、主軸２１に直径方向に形成され、環状溝３２に通ずる導入孔２９とよりなり、軸受２６の注水孔２８より注入された冷却水が環状溝を充満して導入孔２９より軸孔２２に注水されるようにしてある。
　【００１２】
　主軸２１にキー２０により位置決めして嵌挿されるブレード受け３１は、フランジ部３１ａとボス部３１ｂと筒部３１ｃとからなり、フランジ部３１ａには図４に示されるように、ボルト３２を通す孔３７と、内側面に環状の凹所３１ｄと、凹所３１ｄより放射状に形成される給水溝３１ｆを有している。ボス部３１ｂは端面に主軸２１の鍔部２１ａが嵌合する凹部３１９を有し、鍔部２１ａとの間をシールするためｏリング３３を備えている。筒部３１ｃは外周にフランジ部３１ａより端面近くまでセグメント状に切除し、筒部３１ｃに嵌挿されるダイヤモンドブレード３４及びスペーサ３５との間に断面セグメント状の流路３６を形成する平溝状の長溝３１ｈと、流路３６と主軸２１の軸孔２２端とを通ずる導出孔３８と、ボルト通し孔３９を備えた隔壁４０を有している。
　【００１３】
　スペーサ３５は複数枚積層され、抜き差しすることによってダイヤモンドブレード間の間隔が変えられるようになっており、ダイヤモンドブレード３４と接するスペーサ３５にはブレード３４との接触面に図５に示すように凹所３５ａと、凹所３５ａより放射状に形成される給水孔３５ｂを有している。
　ダイヤモンドブレート３４を主軸２１に取り付けるときには、主軸２１にブレード受け３１をキー２０により位置決めして嵌挿したのち、ブレード受け３１のボルト通し孔３９を通して主軸２１の軸端にボルト４１を捩込み、主軸２１の鍔部２１ａとの間でブレード受け３１を押え込んで固定する。ついでブレード受け３１の筒部３１ｃ上にダイヤモンドブレード３４と、適当数のスペーサ３５（たゞし、ダイヤモンドブレード３４と接するスペーサ３５には、図５に示す溝付きのスペーサを用いる）と、ダイヤモンドブレード３４と、図５に示す溝付きのスペーサ３５を順次嵌挿し、両ダイヤモンドブレード３４とスペーサ３５をフランジ部３１ａとスペーサ３５で両側より挟み込んでボルト３２にて連結する。図３は、ダイヤモンドブレード３４とスペーサ３５の取付け状態を示す。
　【００１４】
　コンクリート構造物の壁等にスリットを形成するときには、図１に示すコンクリートカッターのガイドレールをスリットを入れる方向に沿って固定する。ついでモータを起動し、ダイヤモンドブレードを回転駆動して冷却水を供給しながら壁等に二条切りを行うが、ブレードへの給水は、ウォータースイベル２５を通して軸孔２２に供給された冷却水がキー状の案内溝２３、導出孔３８、セグメント状の流路３６、凹所３１ｄ及び３５ａ、給水溝３１ｆ及び３５ｂを通して行われる。
　【００１５】
　図示する例では、スペーサ３５が軸端のダイヤモンドブレード３４の外側にも設けられているが、別の例ではこのスペーサが除かれる。これにより、より壁際近くの天井或いは床のスリット加工、或いはより天井ないし床近くの壁面へのスリット加工を行うことができる。
　【００１６】
　【発明の効果】
　本発明は以上のように構成され、次のような効果を奏する。
　請求項１記載のカッターによれば、ブレードへの給水が主軸の軸孔を通して行われ、従来のようにブレードカバー内に散水パイプや給水パイプを配管する必要がないため、ブレードカバー内の構造が簡素となり、ブレードカバーが嵩張らずコンパクトになる。また、各ダイヤモンドブレードの両面への給水が可能となり、またスリット巾を変えるためのスペーサの抜き差しがカバーを外すことにより支障なく行え、散水パイプや給水パイプがカバーに取付けられている従来法のように、ハンドル操作によるダイヤモンドブレードの昇降に伴う散水或いは給水パイプの位置調整を行う必要もない。
　【００１７】
　
また
【図面の簡単な説明】
　【図１】コンクリートカッターの部分断面正面図。
　【図２】従来の給水機構の断面図。
　【図３】本発明に係る給水機構の拡大断面図
　【図４】図３に示すブレード受けの縦断面図。
　【図５】図３に示すスペーサの側面図。
　【符号の説明】
　２０・・キー
　２１・・主軸
　２２・・軸孔
　２３・・案内溝
　２５・・ウォータースイベル
　２６・・軸受
　２７・・オイルシール
　２８・・注水孔
　２９・・導入孔
　３１・・ブレード受け
　３１ａ・・フランジ部
　３１ｂ・・ボス部
　３１ｃ・・筒部
　３２、４１・・ボルト
　３３・・ｏリング
　３４・・ダイヤモンドブレード
　３５・・スペーサ
　３６・・流路
　３７・・孔
　３８・・導出孔
　３９・・ボルト通し孔
　４０・・隔壁